(57)【要約】【課題】筐体内にマイクを備えて外部の音を収音するインナーイヤータイプのヘッドホンを、収音に対する風切り音の影響を少なくし耳介の内側への装着感が良好なものとする。【解決手段】互いに対向する第１及び第２の面部（8dk,8m）を有する筐体(8)と、前記第１の面部(8dk)と前記第２の面部(8m)との間に並列配置されて前記筐体(8)に収納されたスピーカ(7L)及びマイクロホン(12L)と、前記第１の面部(8dk)に設けられ、前記スピーカ(7L)から出力された音声を前記筐体(8)の外部に放出する放音部(8h)と、前記第２の面部(8m)に設けられ、前記マイクロホン(12L)の収音面(12L1)が臨む空間(SPm)と前記外部の空間(SPg)とを連通する収音孔(8g)と、を備える。【選択図】図６
2010157787.tif 000002
【特許請求の範囲】
【請求項１】
互いに対向する第１及び第２の面部を有する筐体と、
前記第１の面部と前記第２の面部との間に並列配置されて前記筐体に収納されたスピーカ及びマイクロホンと、
前記第１の面部に設けられ、前記スピーカから出力された音声を前記筐体の外部に放出する放音部と、
前記第２の面部に設けられ、前記マイクロホンの収音面が臨む空間と前記外部の空間とを連通する収音孔と、
を備えたことを特徴とするヘッドホン。
【請求項２】
前記筐体は、
前記スピーカと前記マイクロホンとが並列配置された方向を長手方向とされ、
前記長手方向において、前記スピーカが配置されている側の端部が第１の半径で円弧状に形成された外形を有する大径部とされ、前記マイクロホンが配置されている側の端部が前記第１の半径よりも小さい第２の半径で円弧状に形成された小径部とされていることを特徴とする請求項１記載のヘッドホン。
【請求項３】
前記スピーカ及び前記マイクロホンは、概ね扁平の円筒状に形成されており、
前記第１の半径の中心に前記スピーカの中心が位置し、
前記第２の半径の中心に前記マイクロホンの中心が位置していることを特徴とする請求項２記載のヘッドホン。
【請求項４】
前記収音孔は、前記筐体の内部から外部に向けて前記スピーカから遠ざかる向きに開口していることを特徴とする請求項１乃至３のいずれか１項に記載のヘッドホン。
【請求項５】
外部機器の音声出力端子に接続するためのプラグと、
前記マイクロホンから出力された音声信号の逆相の音声信号を生成し、生成した前記逆相の音声信号を前記外部機器から前記プラグを介して供給された音声信号に付加して前記スピーカに出力するノイズキャンセル処理部と、
を備えたことを特徴とする請求項１乃至４のいずれか１項に記載のヘッドホン。
【請求項６】
前記筐体は耳甲介腔に装着可能とされ、その装着した状態で、前記大径部が耳珠と前記耳甲介腔との間に嵌入すると共に前記小径部が耳輪の内壁に当接するよう全体寸法が設定されていることを特徴とする請求項２乃至５のいずれか１項に記載のヘッドホン。
【請求項７】
前記筐体が耳甲介腔に装着された状態で、前記収音孔は、耳輪の内壁に対向する位置にあることを特徴とする請求項６記載のヘッドホン。
【発明の詳細な説明】
【技術分野】
【０００１】
本発明は、ヘッドホンに係り、特に、耳介の内側に装着するいわゆるインナーイヤータイプであって、筐体の内部にマイクロホンを収納し、そのマイクロホンで外部の音を収音するヘッドホンに関する。
【背景技術】
【０００２】
筐体の内部にマイクロホンを収納し、そのマイクロホンで外部の音を収音するヘッドホンとして、マイク付きヘッドホンやノイズキャンセル機能を有するヘッドホン（以下、ノイズキャンセルヘッドホンと称する）が知られている。後者は特に近年、その普及が顕著である。
ノイズキャンセルヘッドホンは、例えば、その筐体の内部にマイクロホンを備え、筐体に設けた開口部を介して周囲の音を収音し、収音した周囲の音の信号の逆相となる信号を外部から入来する聴取すべき原音声信号に付加してスピーカから使用者の耳に向けて放音するように構成されている。
これにより、装着したヘッドホンの筐体等と耳との隙間や筐体の内部を通過して耳に到達する周囲の音がキャンセルされるので、使用者は、外部の音の影響をほとんど受けずに、原音声信号に基づく再生音を良好に鑑賞することができる。
ノイズキャンセルヘッドホンの一例として、特許文献１に記載されたものがある。
【０００３】
【特許文献１】実開平５−３６９９１号公報
【発明の開示】
【発明が解決しようとする課題】
【０００４】
ヘッドホンを日常的に使用する音楽鑑賞スタイルが一般化するに伴い、特許文献１に記載されたような、頭部に掛けるバンドを有するオーバーヘッドタイプのヘッドホンに加えて、本体を耳介の内側に装着するいわゆるインナーイヤータイプのヘッドホンも急速に普及してきている。
インナーイヤータイプには、特に、筐体に筒状の放音筒を設け、その放音筒にゴム製のイヤーピースを装着し、そのイヤーピースを耳孔内に当接させるよう放音筒を挿入する形態ものがあり、これはカナル型などと称されて細分類される。
【０００５】
また、インナーイヤータイプにおけるノイズキャンセルヘッドホンも知られており、図９にその一般的な本体部の外観を示す。
図９に示されるように、従来のインナーイヤータイプのノイズキャンセルヘッドホンにおける本体部は、スピーカとマイクロホンとが駆動軸に沿って並ぶように、すなわち、それぞれの厚さ方向に並べて筐体内に収納されるよう構成されている。
【０００６】
具体的に説明すると、図９において、スピーカユニット１０２の駆動軸ＣＬ１０１方向にマイクロホン１０３が配置され、筐体１０４内に収納されている。
筐体１０４の背面には、外部の音をマイクロホン１０３で収音するための収音孔１０４ａが設けられている。
筐体１０４からは放音筒１０５が突出して設けられている。
放音筒１０５にはイヤーピース１０６が装着され、使用時にはイヤーピース１０６が耳孔内に挿入され、筐体１０４自体は図示しない耳介の内側に装着される。
【０００７】
このような従来のノイズキャンセルヘッドホンは、図９においてＬ１０１で示される筐体１０４の厚さが大きくなるので、耳介に装着した際に収音孔１０４ａの部分が耳から突出する。
従って、マイクロホン１０３の収音において風切り音が大きく影響するので、外部の音を精度良く収音することが難しいことが懸念される。
また、風切り音自体がマイクロホン１０３で収音され、収音された風切り音がノイズキャンセル処理を経てスピーカからかえって増幅されて放出されることも懸念される。
また、スピーカ１０２に対してマイクロホン１０３をイヤーピース１０６から遠い側に配置しているので、その分重心がイヤーピース１０６から遠くに位置する。これにより、耳に対する密着した装着感を得難い場合があり、また、身体の上下動などで装着位置が容易にずれてしまう可能性があった。
【０００８】
そこで、本発明が解決しようとする課題は、マイクロホンを筐体内に収納して外部の音を収音するインナーイヤータイプのヘッドホンにおいて、風切り音の影響が少なく、耳介の内側への装着感が良好なヘッドホンを提供することにある。
【課題を解決するための手段】
【０００９】
上記の課題を解決するために、本願発明は手段として次の１）〜５）の構成を有する。
１）  互いに対向する第１及び第２の面部（8dk,8m）を有する筐体(8)と、
前記第１の面部(8dk)と前記第２の面部(8m)との間に並列配置されて前記筐体(8)に収納されたスピーカ(7L)及びマイクロホン(12L)と、
前記第１の面部(8dk)に設けられ、前記スピーカ(7L)から出力された音声を前記筐体(8)の外部に放出する放音部(8h)と、
前記第２の面部(8m)に設けられ、前記マイクロホン(12L)の収音面(12L1)が臨む空間(SPm)と前記外部の空間(SPg)とを連通する収音孔(8g)と、
を備えたことを特徴とするヘッドホン(50)である。
２）  前記筐体(8)は、
前記スピーカ(7L)と前記マイクロホン(12L)とが並列配置された方向を長手方向（CL1）とされ、
前記長手方向（CL1）において、前記スピーカ(7L)が配置されている側の端部が第１の半径(R2)で円弧状に形成された外形を有する大径部(8b)とされ、前記マイクロホン(12L)が配置されている側の端部が前記第１の半径(R2)よりも小さい第２の半径(R1)で円弧状に形成された小径部(8a)とされていることを特徴とする１）に記載のヘッドホン(50)である。
３）  前記スピーカ(7L)及び前記マイクロホン(12L)は、概ね扁平の円筒状に形成されており、
前記第１の半径(R2)の中心(RC2)に前記スピーカ(7L)の中心(7Lc)が位置し、
前記第２の半径(R1)の中心(RC1)に前記マイクロホン(12L)の中心(12Lc)が位置していることを特徴とする２）に記載のヘッドホン(50)である。
４）  前記収音孔(8g)は、前記筐体(8)の内部から外部に向けて前記スピーカ(7L)から遠ざかる向きに開口していることを特徴とする１）乃至３）のいずれかに記載のヘッドホン(50)である。
５）  外部機器(71)の音声出力端子(71a)に接続するためのプラグ(6)と、
前記マイクロホン(12L)から出力された音声信号の逆相の音声信号を生成し、生成した前記逆相の音声信号を前記外部機器(71)から前記プラグ(6)を介して供給された音声信号に付加して前記スピーカ(7L)に出力するノイズキャンセル処理部(C1)と、
を備えたことを特徴とする１）乃至４）のいずれかに記載のヘッドホン(50)である。
６）  前記筐体(8)は耳甲介腔(E1)に装着可能とされ、その装着した状態で、前記大径部(8b)が耳珠(E3)と前記耳甲介腔(E1)との間に嵌入すると共に前記小径部(8c)が耳輪(E4)の内壁(E4a)に当接するよう全体寸法が設定されていることを特徴とする２）乃至５）のいずれかに記載のヘッドホン(50)である。
７）  前記筐体(8)が耳甲介腔(E1)に装着された状態で、前記収音孔(8g)は、耳輪(E4)の内壁(E4a)に対向する位置にあることを特徴とする６）に記載のヘッドホン(50)である。
【発明の効果】
【００１０】
本発明によれば、マイクロホンを筐体内に収納して外部の音を収音するインナーイヤータイプのヘッドホンにおいて、収音に風切り音の影響が少なく、耳介の内側への装着感が良好になるという効果を奏する。
【発明を実施するための最良の形態】
【００１１】
本発明の実施の形態を、好ましい実施例により図１〜図８を用いて説明する。
【００１２】
実施例のヘッドホンとして、ノイズキャンセル機能を有するカナル型のヘッドホン５０を説明する。
図１はヘッドホン５０の外観図である。
【００１３】
図１において、ヘッドホン５０は、左耳用の本体部１Ｌと、右耳用の本体部１Ｒと、各本体部１Ｌ，１Ｒから延出するコード２Ｌ，２Ｒと、コード２Ｌ，２Ｒを連結して一本の接続コード３にする連結部４と、接続コード３の中間に設けられた操作部５と、接続コード３の先端に設けられた接続プラグ６と、を有して構成されている。
各本体部１Ｌ，１Ｒの内部には、音声を出力するスピーカ７Ｌ，７Ｒと、外部の音を収録するマイクロホン１２Ｌ，１２Ｒと、が収納されている。
スピーカ７Ｌ，７Ｒ及びマイクロホン１２Ｌ，１２Ｒは、それぞれ扁平の円筒状とされている。
操作部５の内部には、ノイズキャンセル処理部である電子回路Ｃ１を搭載した基板Ｃ２が収納されている。また、電子回路の電源となる単４乾電池などの電池ＢＴが着脱自在に収納される。
操作部５には、ノイズキャンセル機能の入切をするスイッチ５ａと、ノイズキャンセル機能を一時中断して外部の音を積極的に聴取する際に押すボタン５ｂと、が設けられている。
ヘッドホン５０の使用時には接続プラグ６を外部の音楽再生装置７１などの音声出力端子７１ａに接続する。
【００１４】
この使用時に、操作部５のスイッチ５ａによりノイズキャンセル機能をＯＦＦとした場合は、接続プラグ６から入来した音声信号が、接続コード３，操作部５，及びコード２Ｌ，２Ｒを介して本体部１Ｌ，２Ｌに供給され、本体部１Ｌ，２Ｌに収納されたスピーカ７Ｌ，７Ｒから音声信号に基づく音声が外部に放出される。
【００１５】
一方、スイッチ５ａによりノイズキャンセル機能をＯＮにした場合は、マイクロホン１２Ｌ，１２Ｒが後述する収音孔８ｇを介して外部の音を収音する。
収音した左右それぞれの外部音の音声信号は電子回路Ｃ１に供給される。
電子回路Ｃ１は供給された左右それぞれの外部音の音声信号に基づいて、その外部音の音声信号に対する逆相のキャンセル信号を左右それぞれ生成する。
そして、生成した左右のキャンセル信号を、音楽再生装置から供給された左右の音声信号それぞれに加えてキャンセル処理済み音声信号を生成し、スピーカ７Ｌ，７Ｒに供給する。
これにより、耳介に装着された本体部１Ｌ，１Ｒの外側から漏入して耳に到達する外部の音が、スピーカ７Ｌ，７Ｒから出力されるキャンセル処理済み音声信号に基づく音声により概ね相殺されるので、ヘッドホン５０の使用者は、本来聴取すべき音声信号に基づく音声を良好に聴取することができる。
【００１６】
次に、本体部１Ｌ，１Ｒについて詳述する。ヘッドホン５０において左耳用の本体部１Ｌと右耳用の本体部１Ｒとは、対称に作られているので、代表として左耳用の本体部１Ｌについて説明する。
【００１７】
図２は、本体部１Ｌを左耳に装着した際の外方となる側から見た外観を示す斜視図である。
図２には、本体部１Ｌを左耳の耳介の内側に装着した場合の上下前後方向を示している。また、紙面手前側が外方となり、紙面奥方が内方となる。
【００１８】
本体部１Ｌは、前後方向に長手を有し、外方側から、すなわち、図２の矢印Ｄ１方向から見た際に、後方側が前方側よりも小径となる概ね卵型の外形を呈する筐体８を有している。
以下、筐体８の後方側を小径部８ａとも称し、前方側を大径部８ｂとも称する。
【００１９】
筐体８の上方側には、斜め上方に突出する突出部８ｃが形成されている。
突出部８ｃは、矢印Ｄ１方向から見た際に、最も突出する頂部８ｃ１を有する非対称の三角形状に形成されている。矢印Ｄ１方向は、実施例においては後述するオーナメントキャンプ８ｆの外面に対して概ね直交する方向である。
具体的に説明すると、突出部８ｃは、筐体８の小径部８ａの外形の曲線ラインになだらかに連結した稜線を有する第１傾斜部８ｃ２と、頂部８ｃ１と大径部８ｂとの間を、第１傾斜部８ｃ２よりも急激に立ち上がる角度θで連結する第２傾斜部８ｃ３と、を有する。
【００２０】
第２傾斜部８ｃ３からは、上前方に向けてコード２Ｌが延出している。
コード２Ｌの根本側（突出部８ｃ側）は、ゴム製のブッシング９で覆われている。
コード２Ｌは、このブッシング９で根本側を覆われていることにより、充分な耐屈曲性を有している。
【００２１】
突出部８ｃには、触感で本体部１Ｌ，１Ｒの左耳用と右耳用との違いを判別できるように、左耳用の本体部１Ｌにのみ、突起８ｔが形成されている。
【００２２】
筐体８は、メインハウジング８ｄと、メインハウジング８ｄに固定されるオーナメントリング８ｅと、オーナメントリング８ｅに対してその中央の開口を塞ぐように固定されるオーナメントキャップ８ｆと、を有している。
ここで、メインハウジング８ｄとオーナメントリング８ｅとが、または、オーナメントリング８ｅとオーナメントキャップ８ｆとが、組み合わされて一部材として形成されていてもよい。
【００２３】
また、メインハウジング８ｄは、耳への装着状態で頭部側となる内ハウジング８ｄ１と外側となる外ハウジング８ｄ２とを組み合わせたものとなっている。以下、区分けして説明する場合を除き、単にメインハウジング８ｄとして説明する。
【００２４】
メインハウジング８ｄ，オーナメントリング８ｅ，及びオーナメントキャップ８ｆは、樹脂の射出成形により形成されている。
好適に用いることができる樹脂として、ＡＢＳ（アクリロニトリル・ブタジエン・スチレン）樹脂やＰＳ（ポリスチレン）樹脂がある。もちろんこれらに限るものではない。
【００２５】
オーナメントリング８ｅは、デザイン上のアクセントとして塗装が施され、さらに左右の識別のために「Ｌ」のシルク印刷がされている。
オーナメントキャップ８ｆには、二点鎖線ＳＫで示す範囲に製造者ロゴや品番などがシルク印刷されている。
【００２６】
オーナメントリング８ｅとオーナメントキャップ８ｆとの境界部の一部に、弧長さＬ１のスリット状の収音孔８ｇが開口している。この収音孔８ｇの開口構造については後述する。
【００２７】
図３は、本体部１Ｌを左耳に装着した際の、内方となる側から見た外観を示す斜視図である。
図３には、本体部１Ｌを左耳の耳介の内側に装着した場合の上下前後方向を示している。
【００２８】
図３において、内ハウジング８ｄ１は、略平面状で卵形の基面８ｄｋと、その周囲に立ち上がる壁部８ｄｈとを有して形成されている。
基面８ｄｋにおける大径部８ｂ側には、前方内側方向に斜めに突出する放音筒部８ｈが形成されている。
放音筒部８ｈの先端側には、ゴム製のイヤーピース１０が装着されている。このイヤーピース１０は、放音筒部８ｈに対して使用者が着脱可能なように嵌着されている。
メインハウジング８ｄにおける放音筒部８ｈ近傍には、筐体８の内部に収納されたスピーカ７Ｌ（図６参照）の前方側空間と外部とを連通する音質調整孔８ｉが形成されている。
スピーカ７Ｌから出力された音声は、放音筒部８ｈの内部を通過して外耳道内に放出される。
【００２９】
図４は、本体部１Ｌを左耳に装着した状態を模式的に示す図である。この図４においては、理解容易のため、筐体８の内部に収納されているスピーカ７Ｌ及びマイクロホン１２Ｌを実線で表示している。
【００３０】
図４に示されるように、本体部１Ｌは、全体が耳甲介腔Ｅ１に収められるように耳介Ｅ２に装着される。
具体的には、大径部８ｂ側が耳珠Ｅ３と耳甲介腔Ｅ１との間に嵌り込むと共に、小径部８ｃ側が耳珠Ｅ３の反対側となる耳輪Ｅ４の内壁Ｅ４ａに当接するように嵌り込む。
この装着状態において、収音孔８ｇは、耳輪Ｅ４によって覆われない位置に配設されている。
【００３１】
図５は、本体部１Ｌを、図１における矢印Ｄ１方向から見て模式的に示した平面図である。具体的には、筐体８の内部にスピーカ７Ｌとマイクロホン１２Ｌとがどのように収められているかを説明するための図である。
【００３２】
筐体８のメインハウジング８ｄには、その長手方向の軸線ＣＬ１上にスピーカ７Ｌとマイクロホン１２Ｌとが並んで配設されている。
具体的には、スピーカ７Ｌ及びマイクロホン１２Ｌは、扁平の円筒形状を呈しており、スピーカ７Ｌは大径部８ｂ側に、マイクロホン１２Ｌは小径部８ａ側に配設されている。
【００３３】
この配置において、小径部８ａにおける外形の曲率中心とマイクロホン１２Ｌの中心とを一致させると、小径部８ａの内部のスペース利用効率が良好となる。
同様に、大径部８ｂにおける外形の曲率中心とスピーカ７Ｌの中心とを一致させると、大径部８ｂの内部のスペース利用効率が良好となる。
【００３４】
各曲率中心は、図５において、小径部８ａの最も後方側となる部分の外形半径をＲ１とした際のＲＣ１であり、大径部８ｂの最も前方側となる部分の外形半径をＲ２とした際のＲＣ２である。
図５は、曲率中心ＲＣ１及び曲率中心ＲＣ２にマイクロホン１２Ｌ及びスピーカ７Ｌの中心１２ＬＣ，７ＬＣを一致させた状態を示している。
小径部８ａの半径Ｒ１を有する外形範囲は、少なくとも軸線ＣＬ１を含んで設定されるとよい。
同様に、大径部８ｂの半径Ｒ２を有する外形範囲は、少なくとも軸線ＣＬ１を含んで設定されるとよい。
【００３５】
耳介Ｅ２の耳甲介腔Ｅ１に収める本体部１Ｌの卵型形状としては、頭部の前方側の径を大きく、後方側の径を小さくする方が収まりは良い。
従って、耳甲介腔Ｅ１と外耳道の開口部との位置関係から、本体部１Ｌの前方側にスピーカ７Ｌを配置し、その径よりも小さい径のマイクロホン１２Ｌを後方側に配置するのがよい。
【００３６】
また、マイクロホン１２Ｌを後方側に配置することについて詳細を図６〜図８を用いて説明する。
【００３７】
図６は、本体部１Ｌを斜め下側から見上げて図５におけるＳ１−Ｓ１線で断面を切った斜視的断面図である。
図７は、マイクロホン１２Ｌ近傍の構造を説明するための斜視的断面図である。
図６及び図７では、スピーカ７Ｌ及びマイクロホン１２Ｌから引き出されるリードについては、図が煩雑になるため削除しているが、スピーカ７Ｌについては放音面７Ｌ１の反対側となる背面から、また、マイクロホン１２Ｌについては収音面１２Ｌ１の反対側となる背面から、それぞれ２本のリードが引き出され、コード２Ｌの内部へと延出している。
【００３８】
図６において、本体部１Ｌは、内ハウジング８ｄ１の基面８ｄｋとこれに対向する対向面であるオーナメントキャップ８ｆ及びオーナメントリング８ｅの外面８ｍ（２点鎖線で表示）との間に、スピーカ７Ｌとマイクロホン１２Ｌとが、互いに本体部１Ｌの厚さ方向（図６の上下方向）に重ならないように並列配置されている。
【００３９】
スピーカ７Ｌは、内ハウジング８ｄ１に設けられた円周状リブ６１内に収められ固定されている。
マイクロホン１２Ｌは、底面側が開放された円筒状のホルダ１３の内側に密着するよう装着されている。
ホルダ１３はゴムなどの弾性材料で形成されており、このホルダ１３が外ハウジング８ｄ２に設けられた円周状リブ６２内に嵌着収納されて外ハウジング８ｄ２側に取り付けられている。
ホルダ１３の天面１３ａには円形の開口部１３ｂが形成されている。この開口部１３ｂは、マイクロホン１２Ｌの収音面１２Ｌ１の少なくとも一部が臨めるように形成されている。
【００４０】
スピーカ７Ｌの外周面と円周状リブ６１の内周面とは密着し、ホルダ１３が円周状リブ６２に密着すると共にマイクロホン１２Ｌの外周面とホルダ１３の内周面とも密着しているので、スピーカ７Ｌからの出力音声がハウジング８ａの内部を通ってマイクロホン１２Ｌに収音されることはない。
【００４１】
収音孔８ｇは、オーナメントリング８ｅとオーナメントキャップ８ｆとの間において、本体部１Ｌを耳に装着した状態で頭部に対して離接する方向（図６における上下方向）に幅Ｗで開口する隙間として形成されている。
換言するならば、筐体８の内部から外部に向けてスピーカ７Ｌから遠ざかる向きに開口している。
また、収音孔８ｇは、紙面の手前と奥方向については、図２で示したように弧長Ｌ１の範囲で開口している。
また、オーナメントリング８ｅには、収音孔８ｇ近傍に、収音孔８ｇに向かうに従って内ハウジング８ｄ１側に接近するよう傾斜した傾斜部８ｅ１が形成されている（図２も参照）。
収音孔８ｇは、マイクロホンの収音面１２Ｌ１に接してその収音面１２Ｌ１が臨む空間ＳＰｍと、本体部１Ｌの外側の空間ＳＰｇとを連通するものである。
【００４２】
ここで、収音孔８ｇが形成されてないとした場合のオーナメントリング８ｅの外面を二点鎖線ＬＮ１で示すならば、その二点鎖線ＬＮ１は、オーナメントキャップ８ｆの端面における外側の角部８ｆ１に概ね連結するように形状が設定されている。
【００４３】
一方、収音孔８ｇが、本体部１Ｌを耳に装着した状態で頭部に対して離接する方向（図６における上下方向）に幅Ｗで開口する隙間として形成されると共に、オーナメントリング８ｅが傾斜部８ｅ１を有していることについて、図８を用いて次に説明する。
図８は、本体部１Ｌを左耳に装着した状態における、図５のＳ２−Ｓ２線で切断した断面図であり、耳介Ｅ２の断面と共に示している。
【００４４】
図８において、傾斜部８ｅ１は、後方から前方に向かうに従って内ハウジング８ｄ１に近づく（頭部Ｈに近づく）傾斜面８ｅ１ａを有して形成されている。
すなわち、傾斜部８ｅ１により、後方側から伝播してくる音をより良好に収音孔８ｇに誘導する。
本体部１Ｌは、小径部８ａ側が耳介Ｅ２の耳輪Ｅ４の内壁Ｅ４ａに当接するように形成されており、小径部８ａ側にマイクロホン１２Ｌを配置してあるので、収音孔８ｇは内壁Ｅ４ａに近接した位置にある。
従って、収音孔８ｇを介してマイクロホン１２Ｌで収音される音の多くは、図８において矢印ＳＮＤで示すような耳輪Ｅ４の内壁Ｅ４ａで反射した音となる。
【００４５】
実際に人間が耳で聴く音には、耳輪Ｅ４の内壁Ｅ４ａで反射した音も多く含まれるので、収音孔８ｇを介して収音する音は、実際に人間が耳で聴く音により近いものになっている。
従って、収音孔８ｇを介して収音した音に基づいてノイズキャンセル機能を動作させた場合のノイズキャンセル効果は、極めて良質で、良好な効き具合となる。
【００４６】
また、収音孔８ｇが耳輪Ｅ４の根本近傍の、内壁Ｅ４ａに近接した位置に配設されることから、風の影響を大変受け難くなっている。
具体的には、頭部後方から前方に向け吹く風は、耳介Ｅ２によって妨げられ、その影に位置する収音孔８ｇにはほとんど到達しない。
一方、頭部前方から後方に向け吹く風は、耳輪Ｅ４の内壁Ｅ４ａが防壁となってその内側に早い流れが生じない。
風は、図８のＡＲで示す流路を主に流れるので、収音孔８ｇ付近には空気の早い流れは生じ難い。
そのため、収音孔８ｇにおける風切り音は極めて低く抑えられる。
従って、ヘッドホン５０の再生音品質が向上し、ノイズキャンセル機能も風切り音の影響を受けずに良好に発揮される。
【００４７】
以上詳述したヘッドホン５０の構成によれば、本体部１Ｌの内部に収納したスピーカ７Ｌとマイクロホン１２Ｌとを、頭部Ｈの外形形状に沿って並列配置しているので、本体部１Ｌをより薄くすることができる。
本体部１Ｌを薄くしたことで、本体部１Ｌの耳介Ｅ２から外方への突出量が抑えられるので、本体部１Ｌに収音孔１ｇが形成されていても、再生音やノイズキャンセル機能に対する風切り音の影響を低減することができる。
【００４８】
また、本体部１Ｌを小径部８ａと大径部８ｂとを有する卵型とし、耳への装着状態において、大径部８ｂを頭部前方側とし小径部８ａを後方側としているので、耳介Ｅ２の内側への装着感が良好になっている。
【００４９】
また、収音孔８ｇの幅方向の開口を頭部に対して離設する方向とし、収音孔８ｇの後方側に傾斜部８ｅ１を設け、収音孔８ｇを、耳への装着状態において耳輪Ｅ４の内壁Ｅ４ａに近い位置に配設しているので、耳輪Ｅ４からの反射音が良好に収音孔８ｇに誘導でき、実際の耳の聴取音により近い音で収音が可能となっている。そのため、ノイズキャンセル効果が極めて良質であり、ノイズキャンセルの効き具合も極めて良好なものになっている。
【００５０】
収音孔８ｇの弧長さＬ１及び幅Ｗは、小さすぎると収音した音の位相が安定せず、また、大きい程風切り音の影響を受けやすくなる方向なので、バランスが取れる大きさとして設定する。
【００５１】
本発明の実施例は、上述した構成及び手順に限定されるものではなく、本発明の要旨を逸脱しない範囲において変形例としてもよいのは言うまでもない。
内ハウジング８ｄ１に設けられた放音筒部８ｈは、放音部として機能する。
ヘッドホンは、カナル型でないインナーイヤータイプのものでもよく、その場合、ハウジング８ｄ１の基面８ｄｋに複数の放音孔が設けられるのが一般的であり、その複数の放音孔が放音部として機能する。
実施例のヘッドホンは、ノイズキャンセル機能を有するものに限らずスピーカにより音声を聴取するヘッドホンの機能に加えて、マイクロホンにより使用者の声を収音して外部に出力するマイク付きヘッドホンであってもよい。
このマイク付きヘッドホンの場合においても、マイクロホンによる収音に風切り音の影響が抑制され、耳介の内側への装着が良好となることは言うまでもない。
【図面の簡単な説明】
【００５２】
【図１】本発明のヘッドホンの実施例を示す外観図である。
【図２】本発明のヘッドホンの実施例における左耳用の本体部を示す外観図である。
【図３】本発明のヘッドホンの実施例における左耳用の本体部を示す他の外観図である。
【図４】本発明のヘッドホンの実施例における本体部を耳に装着した状態を説明するための図である。
【図５】本発明のヘッドホンの実施例における本体部内のスピーカとマイクロホンの収納位置を説明するための図である。
【図６】本発明のヘッドホンの実施例における本体部の構造を説明するための斜視的断面図である。
【図７】本発明のヘッドホンの実施例における本体部の構造を説明するための斜視的部分断面図である。
【図８】本発明のヘッドホンの実施例における本体部を耳に装着した状態を説明する断面図である。
【図９】従来のヘッドホンを説明するための図である。
【符号の説明】
【００５３】
１Ｌ，１Ｒ  本体部
２Ｌ，２Ｒ  コード
３  接続コード
４  連結部
５  操作部
５ａ  スイッチ
５ｂ  ボタン
６  接続プラグ
７Ｌ，７Ｒ  スピーカ
７Ｌ１  放音面
８  筐体
８ａ  小径部
８ｂ  大径部
８ｃ  突出部
８ｃ１  頂部
８ｃ２  第１傾斜部
８ｃ３  第２傾斜部
８ｄ  メインハウジング
８ｄ１  内ハウジング
８ｄ２  外ハウジング
８ｄｋ  基面
８ｅ  オーナメントリング
８ｅ１  傾斜部
８ｅ１ａ  傾斜面
８ｆ  オーナメントキャップ
８ｇ  収音孔
８ｍ  外面（対向面）
８ｈ  放音筒部
８ｉ  音質調整孔
８ｍ  外面（対向面）
９  ブッシング
１０  イヤーピース
１１  フック
１２Ｌ，１２Ｒ  マイクロホン
１２Ｌ１  収音面
１３  ホルダ
１３ａ  天面
５０  ヘッドホン
６１，６２  円周状リブ
ＢＴ  電池
Ｃ１  電子回路
Ｅ１  耳甲介腔
Ｅ２  耳介
Ｅ３  耳珠
Ｅ４  耳輪
Ｅ４ａ  内壁
ＳＰｍ，ＳＰｇ  空間
【図１】
2010157787.tif 000003
【図２】
2010157787.tif 000004
【図３】
2010157787.tif 000005
【図４】
2010157787.tif 000006
【図５】
2010157787.tif 000007
【図６】
2010157787.tif 000008
【図７】
2010157787.tif 000009
【図８】
2010157787.tif 000010
【図９】
2010157787.tif 000011